(57)【要約】【課題】椅子の背凭れの傾動の強さ調整するリクライニング機構と、固定された角度の背凭れの状態を解除する時に、不意に背凭れが戻ることを防止するロック機構を備え、使用者が座った状態で操作できる操作性を向上させた椅子を提供する。【解決手段】座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、前記クランク調整部は、前記弾性部材の反力を調整する第一反力調整部と第二反力調整部からなるリクライニング機構とで構成されている。【選択図】図１
2007151738.tif 000002
【特許請求の範囲】
【請求項１】
座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、前記クランク調整部は、前記弾性部材の反力を調整する第一反力調整部と第二反力調整部からなるリクライニング機構とを備えたことを特徴とする椅子。
【請求項２】
請求項１において、前記弾性部材は、圧縮バネであり、前記弾性部材の両端に前記第一反力調整部及び第二反力調整部を配設されていることを特徴とする椅子。
【請求項３】
請求項１又は２において、前記第二反力調整部は、反力調整カムと、弾性体支持カムと、前記反力調整カムを摺動させるダイヤルノブで構成されていることを特徴とする椅子。
【請求項４】
請求項３において、前記ダイヤルノブは、クランク調整部の側面より突出して配設させていること特徴とする椅子。
【請求項５】
座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、前記椅子には、前記クランク調整部は、背凭れ部の角度を固定するロック機構を有し、前記ロック機構は、歯部を有するシャフトと、歯部を有する噛合具と、噛合具の歯部をシャフトの歯部に歯合させる摺動体と、摺動体を摺動させる調整レバーとを備えたことを特徴とする椅子。
【請求項６】
請求項５において、前記ロック機構は、ねじりバネを更に備え、前記調整レバーは、前記ねじりバネを介して、前記摺動体を摺動させることを特徴とする椅子。
【請求項７】
請求項５又は６において、前記調整レバーは、クランク調整部の側面より突出して配設させていること特徴とする椅子。
【請求項８】
座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、クランク調整部は、請求項１乃至４のいずれかのリクライニング機構と、請求項５乃至７のいずれかのロック機構を備えたことを特徴とする椅子。
【請求項９】
座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、クランク調整部は、請求項３又は４のリクライニング機構と、請求項５乃至７のいずれかのロック機構を備え、前記調整レバーと、前記ダイヤルノブは同軸に形成されていることを特徴とする椅子。
【発明の詳細な説明】
【技術分野】
【０００１】
本発明は、椅子に関するものである。
【背景技術】
【０００２】
従来の椅子は、リクライニングの強さを可変させるために、座の裏面等に用意された調節装置で調節する必要があり、使用者が座った状態での調整は、難しいものであった。また、固定された背凭れの角度の調整を行う際に、固定された背凭れの状態を解除すると、不意に背凭れが戻ることがあった。例えば、特許文献１の実開昭６１−２５８４６号公報「ロッキング椅子」の如く、リクライニングの強さを可変とすることは可能ではあるが、リクライニングの強さを調整するためには、座の裏面に設けられている取手を操作しなければならず、椅子に座った状態での操作はできないものであった。また、背凭れの角度のロックを解除すると不意に背凭れが戻るものである。
【０００３】
また同様に、特許文献２の特開２００４―３３４４４号公報「椅子」は、リクライニングの強さを段階的に可変させることを可能とし、調整装置の側面より突設された調節レバーを設けているものではあるが、しかしリクライニングの強さは、段階式の調整しか行えず、リクライニングの強さを微調整できないものであった。
【０００４】
そして、特許文献３の特許３３５９８６２号公報「ロッキング装置」も同様に、リクライニングの強さを調整するためには、座の裏面に用意されたつまみを調整する必要があり、また背凭れの角度の調整は、調整装置の側面より突設された調節レバーによって行われ、段階的な調整しかできないものである。
【特許文献１】実開昭６１−２５８４６号公報
【特許文献２】特開２００４−３３４４４号公報
【特許文献３】特許３３５９８６２号公報
【発明の開示】
【発明が解決しようとする課題】
【０００５】
このように従来の椅子は、リクライニングの強さを可変させるために、座の裏面等に用意された調節装置で調節する必要があり、使用者が座った状態での調整は、難しいものであった。また、固定された背凭れの角度の調整を行う際に、固定された背凭れの状態を解除すると、不意に背凭れが戻ることがあった。
【０００６】
したがってリクライニング（後傾）の強さの調整を２つの装置で行うと共に、背凭れの角度が固定された状態を解除する時に、不意に背凭れが戻ることを防止するロック機構が求められている。また、リクライニングの強さを調整する操作と背凭れの角度をロックする操作を集約し、操作性を向上させた椅子も求められている。
【０００７】
そこで、本発明は、上記従来技術の問題点に斯かる実情に鑑みなされたもので、椅子の背凭れの傾動の強さ調整するリクライニング機構と、固定された角度の背凭れの状態を解除する時に、不意に背凭れが戻ることを防止するロック機構を備え、使用者が座った状態で操作できる操作性を向上させた椅子を提供することを課題とする。
【課題を解決するための手段】
【０００８】
請求項１記載の発明は、座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、前記クランク調整部は、前記弾性部材の反力を調整する第一反力調整部と第二反力調整部からなるリクライニング機構とを備えたことを特徴とする。
【０００９】
請求項２記載の発明は、請求項１において、前記弾性部材は、圧縮バネであり、前記弾性部材の両端に前記第一反力調整部及び第二反力調整部を配設されていることを特徴とする。
【００１０】
請求項３記載の発明は、請求項１又は２において、前記第二反力調整部は、反力調整カムと、弾性体支持カムと、前記反力調整カムを摺動させるダイヤルノブで構成されていることを特徴とする。
【００１１】
請求項４記載の発明は、請求項３において、前記ダイヤルノブは、クランク調整部の側面より突出して配設させていることを特徴とする。
【００１２】
請求項５記載の発明は、座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、前記椅子には、前記クランク調整部は、背凭れ部の角度を固定するロック機構を有し、前記ロック機構は、歯部を有するシャフトと、歯部を有する噛合具と、噛合具の歯部をシャフトの歯部に歯合させる摺動体と、摺動体を摺動させる調整レバーとを備えたことを特徴とする。
【００１３】
請求項６記載の発明は、請求項５において、前記ロック機構は、ねじりバネを更に備え、前記調整レバーは、前記ねじりバネを介して、前記摺動体を摺動させることを特徴とする。
【００１４】
請求項７記載の発明は、請求項５又は６において、前記調整レバーは、クランク調整部の側面より突出して配設させていることを特徴とする。
【００１５】
請求項８記載の発明は、座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、クランク調整部は、請求項１乃至４のいずれかのリクライニング機構と、請求項５乃至７のいずれかのロック機構を備えたことを特徴とする。
【００１６】
請求項９記載の発明は、座部を支持する座支持部材と、脚部を支持するベース部材と、背凭れ部を支持する背支持部材と、弾性部材を有するクランク調整部とからなる背凭れ調整部によって、背凭れ部をリクライニングする椅子であって、クランク調整部は、請求項３又は４のリクライニング機構と、請求項５乃至７のいずれかのロック機構を備え、前記調整レバーと、前記ダイヤルノブは同軸に形成されていることを特徴とする。
【発明の効果】
【００１７】
請求項１記載の発明によれば、クランク調整部は、前記弾性部材の反力を調整する第一反力調整部と第二反力調整部となるリクライニング機構を備えることによって、２つの反力調整部で、リクライニングの強さとなる弾性部材の反力の強さの調整をできる。
【００１８】
請求項２記載の発明によれば、弾性部材は、圧縮バネであり、前記弾性部材の両端に前記第一反力調整部及び第二反力調整部を配設し、弾性部材である圧縮バネの両側から反力の調整を行うことができる。
【００１９】
請求項３記載の発明によれば、前記第二反力調整部は、反力調整カムと、弾性体支持カムと、前記反力調整カムを摺動させるダイヤルノブで構成し、ダイヤルノブで容易に反力調整を行うことを可能としている。
【００２０】
請求項４記載の発明によれば、ダイヤルノブをリクライニング機構の側面より突出して配設することによって、使用者が着座した状態からリクライニングの強さの調整を行うことを可能としている。
【００２１】
請求項５記載の発明によれば、座部を支持する座支持部材と、脚部を支持するベース部材と、背凭れ部を支持する背支持部材と、弾性部材を有するクランク調整部とからなる背凭れ調整部によって、背凭れ部をリクライニングする椅子において、クランク調整部は、背凭れ部の角度を固定するロック機構を有し、ロック機構は、歯部を有するシャフトと、歯部を有する噛合具と、噛合具の歯部をシャフトの歯部に歯合させる摺動体と、摺動体を摺動させる調整レバーと備え、該調整レバーの操作によって、摺動体を摺動させると、シャフトの歯部と噛合具の歯部を歯合させることができる。これにより、クランク調整部の長さが固定される。これにより、座部を支持する座支持部材と、脚部を支持するベース部材と、背凭れ部を支持する背支持部材と、背凭れ部調整部とのクランクが固定されることから、背支持部材が固定されている背凭れ部の角度が固定される。また、調整レバーで、背凭れ部の固定された状態を解除しても、その状態を保持し、背凭れ部に外的要因が加わることによって背凭れ部の角度を変えることができる。すなわち背凭れ部の固定された角度を解除した時に、不意に背凭れ部が戻ることを防止できる。
【００２２】
請求項６記載の発明によれば、ねじりバネを介してレバー操作を行うことによって、噛合具の歯部がシャフトの歯部と噛み合わない位置で、レバー操作が行われても、レバー操作を行うことができる。また、噛合具とシャフトの歯部が噛み合う位置に移動するとねじりバネの力により歯合しロック状態となる。
【００２３】
請求項７記載の発明によれば、調節レバーをロック機構の側面より突出させて配設することによって、使用者が着座した状態からリクライニングの強さの調整を行うことを可能としている。
【００２４】
請求項８記載の発明によれば、請求項１乃至４のいずれかのリクライニング機構と、請求項５乃至７のロック機構を有する椅子とすることにより、椅子の背凭れ部の強さを可変させると共に、椅子の背凭れ部の角度を固定することを可能としている。
【００２５】
請求項９記載の発明によれば、調整レバーとダイヤルノブを同軸に形成することによって、ロックの操作と強さ調整の操作を集約し、操作性を向上させることができる。
【発明を実施するための最良の形態】
【００２６】
座部を支持する座支持部材と、脚部を支持するベース部材と、背凭れ部を支持する背支持部材と、弾性部材を有するクランク調整部とからなる背凭れ調整部によって、背凭れ部をリクライニングする椅子において、前記クランク調整部は、前記弾性部材の反力を調整する第一反力調整部と第二反力調整部からなるリクライニング機構とを備え、前記弾性部材は、圧縮バネであり、前記弾性部材の両端に前記第一反力調整部及び第二反力調整部を配設され、前記第二反力調整部は、反力調整カムと、弾性体支持カムと、前記反力調整カムを摺動させるダイヤルノブで構成され、ダイヤルノブは、クランク調整部の側面より突出して配設されている。
【００２７】
また、座部を支持する座支持部材と、脚部を支持するベース部材と、背凭れ部を支持する背支持部材と、クランク調整部とからなる背凭れ調整部によって、背凭れ部をリクライニングする椅子において、前記椅子には、前記クランク調整部は、背凭れ部の角度を固定するロック機構を有し、前記ロック機構は、歯部を有するシャフトと、歯部を有する噛合具と、噛合具をシャフトに歯合させる摺動体と、摺動体を摺動させる調整レバーと、ねじりバネを備え、調整レバーは、クランク調整部の側面より突出して配設されている。
【００２８】
上述のリクライニング機構と上述のロック機構を有し、前記調整レバーと、ダイヤルノブは同軸に形成されていることもある。
【実施例１】
【００２９】
以下、図を参照して、本発明を適用した実施の形態について説明する。図１は、椅子の外観を示す図である。
【００３０】
椅子１０は、座部２４、背凭れ部２２、脚部２６、背凭れ調節部の４部材で構成され、座部２４、背凭れ部２２、脚部２６の３部材は、各々背凭れ調整部２９に接続されている。座部２４は、シェル及びクッション等を取り付けて形成されている。脚部２６は、座部２４の高さを調節する高さ調節部（図示しない）を具備し、上下調整レバー２５により、所定の高さで固定することができる。また、接地面と接触する脚部２６の先端には、キャスター２８が設けられている。脚部２６は、椅子１０を支持し且つ椅子１０を自在に移動させることを可能としている。背凭れ部２２は、図示しない張り地や芯部材などを具備して形成されており、使用者が座部２４に腰掛けた際に、使用者の背中が背凭れ部２２に支持される。背凭れ調整部２９は、座部２４を摺動自在に配設し、脚部２６を回動自在に軸支し、背凭れ部２２を傾動自在に配設している。また、図示しないが背凭れ調整部２９を覆うカバーが設けられている。
【００３１】
また、図２〜４に示すように、背凭れ調整部２９は、脚部２６を支持するベース支持部材３２、背凭れ部２２を支持する背支持部材３６、座部２４を支持する座支持部材３０、弾性部材を有するクランク調整部３８と、これら４部材を連結する軸Ａ・軸Ｂ・軸Ｃ・軸Ｄ・軸Ｅで構成され、軸Ａは、背支持部材３６とベース支持部材３２を軸支している。軸Ｂは、背支持部材３６と座支持部材３０を軸支している。軸Ｃは、ベース支持部材３２と座支持部材３０を軸支している。さらに、軸Ｄは、ベース支持部材３２とクランク調整部３８の一端を軸支し、軸Ｅとなるダイヤル軸４４は、背支持部材３６とクランク調整部３８の他端を軸支している。
【００３２】
背凭れ調整部２９は、これら４部材と、軸Ａ・軸Ｄ・軸Ｅで構成されたリンク構造であり、クランク調整部３８の長さが伸縮することによって、背凭れ部２２を支持する背支持部材３６を傾動させ、背支持部材３６の傾動に伴って、軸Ｂ・軸Ｃを介して座部２４を支持する座支持部材３０を摺動させるものである。つまり、椅子１０の背凭れ部２２をリクライニング（後傾）させると背支持部材３６は、軸Ａを中心に傾動し、背支持部材３６と座支持部材３０を連結する軸Ｂにより、座支持部材３０の一端を下げる。座支持部材３０の他端には、軸Ｃを介しベース支持部材３２の長穴３３を移動する。
【００３３】
クランク調整部３８は、背凭れ部２２のリクライニングの強さを可変とするリクライニング機構と、背凭れ部２２の角度を固定するロック機構からなり、凭れ部２２のリクライニングの強さは、クランク調整部３８の弾性部材の反力によって、変化されるものである。まず図３〜５を用いてリクライニング機構について説明する。
【００３４】
リクライニング機構は、弾性部材である圧縮バネ７２の反力を調整する第一反力調整部と第二反力調整部で構成されている。
【００３５】
第一反力調整部は、シャフト７４と反力調整ダイヤル１１０で構成されている。シャフト７４は、棒状体で形成され、シャフト７４の一方の端部に、シャフト７４の軸方向と直交する向きに軸穴８０が形成されている。この軸穴８０は、軸Ｄに回転自在に軸支されている。また、軸穴８０の近傍となるシャフト７４の外周面は、螺刻されてネジ部７６を形成しており、反力調整ダイヤル１１０と螺合される。また、シャフト７４の他方の端部から中央近傍にかけてラック状の歯部が形成されている。該歯部は、後述するロック機構に用いられる。
【００３６】
次に反力調整ダイヤル１１０は、底面を有する円筒形状で、該底面の中央に螺刻された穴１１２が形成されている。また、反力調整ダイヤル１１０の外周面には、反力調整ダイヤル１１０を回転させる際の滑り止めとなる凸部が等間隔に形成されている。この反力調整ダイヤル１１０の内底に、圧縮バネ７２の端部が当接される。
【００３７】
第一反力調整部となる反力調整ダイヤル１１０を回転させる方向に応じて、シャフト７４の軸方向のいずれかに反力調整ダイヤル１１０が移動し、反力調整ダイヤル１１０の内底に当接している圧縮バネ７２の反力の調整を行うことを可能としている。実施例の場合では、シャフト７４の軸穴８０方向に反力調整ダイヤル１１０が移動するように、反力調整ダイヤル１１０を回転させると、圧縮バネ７２の反力が弱くなり、逆方向へと回転させた場合には、反力が強くなるようにされている。このようにリクライニングの強さは、第一の反力調整部となる反力調整ダイヤル１１０を回転させることによって可変する。
【００３８】
リクライニング機構の第二反力調整部は、ダイヤルノブ４０、弾性体支持カム６４、反力調整カムとなる固定カム５４・移動カム５８で構成されている。移動カム５８には、ナット６２が内設されている。また、第二反力調整部の位置は、圧縮バネ７２の他方側に位置している。
【００３９】
ダイヤルノブ４０は、棒状体で形成されたダイヤル軸４４（軸Ｅ）の一方の端部に把持部４２を形成され、他方となる端部近傍は、螺刻されネジ部４６を形成されている。また、ネジ部４６近傍位置には、段差４８が形成され、ネジ部４６側が、把持部４２側より短径となっている。また、ダイヤルノブは、クランク調整部３８の側面より突設されており、使用者、リクライニングの強さを調整する際に、使用者が座った状態からダイヤルノブ４０を把持し、調整を行うことを可能としている。
【００４０】
固定カム５４及び移動カム５８は、方形状の一端を半円状として肉厚に形成され、半円状の辺と対向する辺となる底辺を正面側から背面側に傾斜して切欠きした傾斜面が形成されている。また半円状の中心には、ダイヤルノブ４０のダイヤル軸４４が貫通する穴が穿設されている。
【００４１】
固定カム５４は、貫通する穴の中央近傍で、段差が形成され、固定カム５４の正面側の穴は、背面側の穴の直径より、短く形成されている。この固定カム５４の穴に、ダイヤルノブ４０のダイヤル軸４４が挿嵌され、固定カム５４の段差と、ダイヤル軸４４上の段差４８が互いに当接される。
【００４２】
移動カム５８は、貫通する穴の中央近傍に、その穴と同軸となる位置にナット６２が内設されている。また移動カム５８は、固定カム５４の正面と対向するように、該穴にダイヤルノブ４０のダイヤル軸４４が挿嵌されており、ダイヤル軸４４のネジ部４６と、移動カム５８に内設されたナット６２が螺合される。
【００４３】
弾性体支持カム６４は、肉厚な台形形状に形成され、台形の底面には、円形状の凹部７０が形成されている。また、台形の上面には、底面まで貫通する方形状の開口６８が形成されている。台形の斜面にあたる傾斜面６６は、固定カム５４の傾斜面及び、移動カム５８の傾斜面にそれぞれ当接され、円形状の凹部７０には、圧縮バネ７２の端部が当接されている。
【００４４】
ダイヤルノブ４０を回すとナット６２を内設した移動カム５８と、固定カム５４間の距離が変わり、移動カム５８及び固定カム５４の傾斜分だけ弾性体支持カム６４をスライドさせ、圧縮バネ７２を反力の調整を行なわれる。実施例の場合では、移動カム５８と固定カム５４が接近する方向へと移動すると、圧縮バネ７２の力が強まり、逆方向へと移動すると、圧縮バネ７２の力を弱める。
【００４５】
このように弾性部材である圧縮バネ７２の反力調整（長さ調整）は、ダイヤルノブ４０を回転させ、移動カム５８の移動量に応じて弾性体支持カム６４がスライドし、弾性体支持カム６４を介して圧縮バネ７２を押圧することによって反力の調整を行うものである。すなわち、背凭れ部２２をリクライニング（後傾）させる際、第一反力調整部と第二反力調整部に間に位置する圧縮バネ７２の長さが縮められ、リクライニング（後傾）を戻す方向への力が増す。
【００４６】
このような構造にすることによって、部品点数、占有スペースの削減による小型化すると共に、第一反力調整部のダイヤル調整を使用した圧縮バネ７２の反力調整のほか、もう一つの方法となる第二反力調整部でも、反力調整が行える。またダイヤルノブ４０による調整では、主に反力調整の微調整が可能となる。
【００４７】
次に図３〜図４及び図６を用いてクランク調整部３８のロック機構の説明を行う。ロック機構は、調整レバー１１４、フランジブッシュ５０、回動継手１０４、ねじりバネ１０２、ロック用カム９６、ガイド部材８２、噛合具８６、摺動体９０で構成されている。
【００４８】
調整レバー１１４は、筒状に形成され、調整レバー１１４の一方の端部外周には、対向する位置に２箇所、固定突起１１６が形成されている。また、他方の端部外周には、レバー操作を行う操作部となる板状の突起が形成されている。筒状に形成された調整レバー１１４の筒内にダイヤルノブ４０が回動自在に軸支されている。また、調整レバー１１４は、クランク調整部３８の側面より突設されており、使用者が、背凭れ部２２の角度を調整する際に、使用者が座った状態から調整レバー１１４を把持し、調整を行うことを可能としている。
【００４９】
フランジブッシュ５０は、図６及び図７で示すように樹脂素材でフランジを有する円筒形状に形成され、中央から分割可能となっている。このフランジブッシュ５０は、背支持部材３６のフレームの側面に、フランジ側を内側として固着されている。フランジブッシュ５０は、調整レバー１１４を回動自在に軸支している。
【００５０】
また、フランジブッシュ５０の外周側面には、開口５２が形成され、調整レバー１１４の先端に形成された固定突起１１６の大きさより僅かに大きい穴を平行に２つ並べ、該穴の側部を互いに接続した形状に開口されている。すなわち該開口５２は、略方形状で上辺の中央の一部が内側に凸状に突出した形状に開口されている。この開口５２のいずれか一方の領域に、調整レバー１１４の端部外周に形成された固定突起１１６が係合されている。また、調整レバー１１４を回動させると、凸状に形成された開口５２が弾性変形し、他方の領域に、固定突起１１６が移動し固定されるようになる。このように、調整レバー１１４の回動可能な角度は、フランジブッシュ５０の外周側面に形成された開口５２によって制限されている。
【００５１】
また開口５２内を移動する調整レバー１１４の固定突起１１６は、開口５２の中央の一部が内側に凸状に突出した凸部によって、いずれかの一方の領域に固定されるため、調整レバー１１４の回動の制限及び調整レバー１１４の回動の固定させるため弾性体となるバネを不要とすることができる。
【００５２】
回動継手１０４は、コの字形に形成され、両端側面に、ダイヤルノブ４０のダイヤル軸４４が貫通する穴が形成され、ダイヤル軸４４に回動自在に軸支されている。また、回動継手１０４の一方は、調整レバー１１４の固定突起１１６が形成された側の端部と係合され、調整レバー１１４の回動に応じて回動継手１０４も回動するものである。また、回動継手１０４の他方には、ねじりバネ１０２の端部を固定する為の穴１０６が形成されている。
【００５３】
ねじりバネ１０２は、バネ鋼を、ダイヤル軸４４より僅かに大きい直径に巻いて形成され、ダイヤル軸４４に軸支されている。また、ねじりバネ１０２の一方は回動継手１０４と係合され、他方はロック用カム９６に形成された貫通穴９８と係合されている。
【００５４】
ロック用カム９６は、半円状の底辺と台形の下辺を組み合わせた形に形成されている。また半円状の中心にダイヤル軸４４が貫通する穴が形成され、ダイヤル軸４４に回動自在に軸支されている。そして、台形形状の上辺の近傍に、ねじりバネ１０２の端部が挿嵌される貫通穴９８が形成され、ねじりバネ１０２の端部は、ロック用カム９６から突出するように、貫通穴９８に挿嵌されている。
【００５５】
ガイド部材８２は、略円柱形状に形成された端部に、コの字形部材の底面を接続した形に形成されている。コの字形の両端側面には、ダイヤル軸４４が貫通する穴が形成され、ダイヤル軸４４に回動自在に軸支されている。また、コの字形の底面から円柱の中央近傍まで、摺動体９０より僅かに広径で挿嵌可能な穴が形成されると共に、摺動体９０より狭径且つシャフト７４より僅かに広径な貫通穴が、該穴の底面に形成されている。
【００５６】
このガイド部材８２のコの字形の内側には、ロック用カム９６と、ねじりバネ１０２と、回動継手１０４の一方の端部が位置している。そして、ガイド部材８２の円筒内部には、摺動体９０、噛合具８６、シャフト７４の一部である歯部が位置している。
【００５７】
噛合具８６は、歯部に対して上端及び下端を垂直とした台形形状で肉厚に形成され、すなわち台形形状の下辺の位置に、ラック状の歯部が形成されている。また、台形形状の傾斜辺は、段状の傾斜が形成されている。
【００５８】
摺動体９０は、円柱状に形成され、円柱の上面には、Ｌ字型の部材が形成されている、また、円柱の底面には、シャフト７４より僅かに広径で鍵穴状の穴が形成され、該穴の底面より、半円状の凹部が形成されている。Ｌ字形の側面には、ねじりバネ１０２の端部と係合し、緩やかに湾曲した長穴９４が形成されている。この摺動体９０の底面の穴内に、シャフト７４の歯部７８と、噛合具８６が位置している。また、ねじりバネ１０２の端部が長穴９４を摺動することによって、摺動体９０は、長穴９４のガイド部材８２の円筒部内を摺動する。すなわち長穴９４の円筒部の軸方向距離だけ摺動体９０は上下に摺動する。
【００５９】
まずはアンロック状態からロック状態に調整レバー１１４を作動させた時のロック機構の動きを図８〜図９を用いて説明する。フランジブッシュ５０の外周側面に形成された開口５２の移動可能範囲で、固定突起１１６を有する調整レバー１１４を回動させると、同時に回動継手１０４が回動する。回動継手１０４が回動すると、回動継手１０４に係合したねじりバネ１０２の端部が、巻き込まれ、ねじりモーメントが発生する。このねじりモーメントによって、ねじりバネ１０２の他端に係合しているロック用カム９６を回転させる。回転したロック用カム９６の先端は、カムの作用によって摺動体９０の上端と当接し、摺動体９０を摺動させる。摺動体９０が摺動すると、噛合具８６の斜面が押圧され、噛合具８６の歯部８８が、シャフト７４の歯部７８と噛合するようにスライドし、シャフト７４の歯部７８と、噛合具８６の歯部８８が噛合される。シャフト７４と噛合具８６が噛合した後、摺動体９０は、楔の働きをするため、クランク調整部３８の長さは固定される。
【００６０】
また、調整レバー１１４を回動させた際に、シャフト７４の歯部７８と噛合具８６の歯部８８が噛合しない位置にあった場合でも、バネの付勢によって、或いは使用者が背凭れ部２２に凭れるなどの外的要因によりシャフト７４の歯部７８と噛合具８６の歯部８８が歯合可能な位置に移動された時に、ねじりバネ１０２によるねじりモーメントの働きによって、摺動体９０を摺動させ、シャフト７４の歯部７８及び噛合具８６の歯部８８は噛合されるものである。
【００６１】
次に、ロック状態からアンロック状態に調整レバー１１４を作動させた時のロック機構の動きを図１０〜図１１を用いて説明する。ロック状態となるシャフト７４の歯部７８と噛合具８６の歯部８８が噛合した状態から、調整レバー１１４を逆方向へと回動させると、回動継手１０４も回転する。回動継手１０４の端部に係合されているねじりバネ１０２の端部が、ロック時とは逆方向へと巻き込まれ、逆方向のねじりモーメントが発生する。この逆方向のねじりモーメントによって、ロック用カム９６を貫通されたねじりバネ１０２の端部が、摺動体９０の長穴９４を介して、摺動体９０を復動させるものである。これにより、摺動体９０は楔としての働きが解除される。
【００６２】
従来の構造では、これにより、不意に背凭れ部２２が戻ることがあったが、本願発明の構造では、シャフト７４の歯部７８と噛合具８６の歯部８８の噛合は、ガイド部材８２の内底８４からの圧力が噛合具８６の側面に加わり当接した状態で保持される。この調整レバー１１４をアンロック状態にした後、使用者が背凭れ部２２に凭れるなどして背凭れ部２２に力を加えるなどの外的要因が加わると、ガイド部材８２の内底８４からの噛合具８６の側面にかかる圧力が弱まり、噛合具８６は、自重によってガイド部材８２の底面に落下し、シャフト７４の歯部７８と噛合具８６の噛合状態は解除される。したがってシャフト７４は可動状態となる。シャフト７４が可動状態となることにより背凭れ部２２の角度が固定された状態ではなくなるものである。
【００６３】
このように構成することによって、フランジブッシュ５０を樹脂で形成し、フランジブッシュ５０の弾性変形を利用することによって、図７（Ａ）に示す調整レバー１１４のロック位置から図７（Ｂ）に示すアンロック位置へと移動させるバネが不要とすることができる。また、噛合具８６とガイド部材８２が当接し力がかかった状態（背凭れ部２２に凭れていない場合など）で、不意に背凭れ部２２が戻るのを防ぐことができる。また、ねじりバネ１０２の使用により、噛合具８６の歯部８８とシャフト７４の歯部７８が噛合しない位置でも、調整レバー１１４を操作することを可能としている。また、背凭れ部２２に、使用者が背凭れ部２２に凭れるなどして背凭れ部２２に力を加える外的要因が加わることによって、シャフト７４がガイド部材８２内を摺動し、噛合具８６の歯部８８とシャフト７４の歯部７８が噛合する位置になるとねじりモーメントの力により噛み合い、ロック状態となる。
【００６４】
さらに、このロック機構は、リクライニング機構の第二反力調整部と略同一の位置に位置しており、ロック機構とリクライニング機構を同居させることによって、スペース効率をアップさせことができる。また、リクライニングの強さを調整するダイヤルノブ４０と、背凭れ部２２の角度を調整する調整レバー１１４をクランク調整部３８の側面より突設させることによって、使用者は、座に座った状態から、各々の調整を行えるものである。また、その調整レバー１１４と、ダイヤルノブ４０を同軸に備えることによって、操作系を集約することによる操作性の向上が得られるものである。
【００６５】
以上説明したように構成することにより、椅子の背凭れの傾動の強さ調整するリクライニング機構と、固定された角度の背凭れの状態を解除する時に、不意に背凭れが戻ることを防止するロック機構を備え、使用者が座った状態で操作できる操作性を向上させた椅子を提供することができる。このように好ましい実施例を挙げて本発明を説明したが、本発明はその実施例に限定されるものではなく、本発明の要旨の範囲内で種々に改変できる。
【図面の簡単な説明】
【００６６】
【図１】本発明に係る椅子の外観を示す図である。
【図２】本発明に係る椅子の背凭れ調整部を示す図である。
【図３】本発明に係る椅子の背凭れ調整部の断面図である。
【図４】本発明に係る椅子の背凭れ調整部の断面図である。
【図５】本発明に係る椅子のリクライニング機構を示す分解斜視図面である。
【図６】本発明に係る椅子のロック機構を示す分解斜視図面である。
【図７】本発明に係る椅子のロック機構を示す図である。
【図８】本発明に係る椅子のロック機構を示す図である。
【図９】本発明に係る椅子のロック機構を示す図である。
【図１０】本発明に係る椅子のロック機構を示す図である。
【図１１】本発明に係る椅子のロック機構を示す図である。
【符号の説明】
【００６７】
１０  椅子
２２  背凭れ部
２４  座部
２５  上下調整レバー
２６  脚部
２８  キャスター
２９  背凭れ調整部
３０  座支持部材
３２  ベース支持部材
３３  長穴
３６  背支持部材
３８  クランク調整部
４０  ダイヤルノブ
４２  把持部
４４  ダイヤル軸
４６  ネジ部
４８  段差
５０  フランジブッシュ
５２  開口
５４  固定カム
５８  移動カム
６２  ナット
６４  弾性体支持カム
６６  傾斜面
６８  開口
７０  凹部
７２  圧縮バネ
７４  シャフト
７６  ネジ部
７８  歯部
８０  軸穴
８２  ガイド部材
８４  内底
８６  噛合具
８８  歯部
９０  摺動体
９４  長穴
９６  ロック用カム
９８  貫通穴
１０２  ねじりバネ
１０４  回動継手
１０６  穴
１１０  反力調整ダイヤル
１１２  穴
１１４  調整レバー
１１６  固定突起
【図１】
2007151738.tif 000003
【図２】
2007151738.tif 000004
【図３】
2007151738.tif 000005
【図４】
2007151738.tif 000006
【図５】
2007151738.tif 000007
【図６】
2007151738.tif 000008
【図７】
2007151738.tif 000009
【図８】
2007151738.tif 000010
【図９】
2007151738.tif 000011
【図１０】
2007151738.tif 000012
【図１１】
2007151738.tif 000013